(57)【特許請求の範囲】
【請求項１】
フロアパネルの辺縁に開口して設けられるコンセント取付孔の周辺にフロアパネルの上面よりも低段に形成されるフランジ部に載せ掛けられてコンセント取付孔を塞ぐ塞ぎ蓋に、一端がフランジ部側端部まで延びて他端がフランジ部を外れた中央側所定個所まで延びる二本のスリットを形成し、スリット間を覆蓋部としてこの覆蓋部を下方に折り曲げることでコード挿通孔を現出させるものにおいて、覆蓋部に、覆蓋部の耐荷重性を増す補強構造を施したことを特徴とするフロアパネルにおけるコンセント取付孔の塞ぎ蓋。
【請求項２】
請求項１の補強構造を、一方のスリットの大部分をフランジ部上に位置させる構成にしたフロアパネルにおけるコンセント取付孔の塞ぎ蓋。
【請求項３】
請求項１の補強構造を、一方のスリットと他方のスリットとの間隔を、一端側の方を他端側の方よりも広くする構成にしたフロアパネルにおけるコンセント取付孔の塞ぎ蓋。
【請求項４】
請求項１の補強構造を、フランジ部を外れる覆蓋部の裏面に縦リブを設けた構成にしたフロアパネルにおけるコンセント取付孔の塞ぎ蓋。
【請求項５】
請求項１の補強構造を、フランジ部を外れる覆蓋部の裏面にビードを突起させる構成にしたフロアパネルにおけるコンセント取付孔の塞ぎ蓋。
【請求項６】
請求項４の縦リブ及び請求項５のビードを、スリットの縁に設けたフロアパネルにおけるコンセント取付孔の塞ぎ蓋。
【発明の詳細な説明】
【０００１】
【発明の属する技術分野】
本発明は、フリーアクセス用のフロアパネルにおけるコンセント取付孔の塞ぎ蓋に関するものである。
【０００２】
【従来の技術】
フリーアクセス用のフロアパネル（以下、パネルという）には、通常、床下配線をパネル上に設置されたＯＡ機器に接続するためのコンセントボックス（以下、コンセントという）を取り付ける方形や半円形をしたコンセント取付孔（以下、取付孔という）がその辺縁に開口しているが、コンセントを取り付けないときにこの取付孔をそのままにしておくと、この部分に陥没孔ができてしまう。
【０００３】
従って、コンセントを取り付けないときには、この取付孔を適当な塞ぎ蓋で閉蓋しているが、床上にはコードだけを取り出せばよいこともあり、このような場合にはこの取付孔を利用することもある。この場合に塞ぎ蓋全体を外してコードを通したのでは、余部の塞ぎが再度問題になる。そこで、本出願人は、先に、塞ぎ蓋に下方に折り曲げできる適当な大きさの覆蓋部を設けておき、この覆蓋部を下方に折り曲げてコード挿通孔（以下、挿通孔という）を現出させ、挿通孔が不要になったときはこの覆蓋部を元に復元するものを提案している（特開平５−２１９６２８号）。
【０００４】
【発明が解決しようとする課題】
この場合の覆蓋部は、一端がパネルの取付孔周辺に形成されるフランジ部側端部に開口し、他端がフランジ部を外れた中央側所定個所まで平行に延びる二本のスリットを形成し、このスリット間を覆蓋部としているが、このような構成上、どうしても、覆蓋部の耐荷重性が不足する。又、鋼板製の塞ぎ蓋の場合は、重量軽減を図るため、塞ぎ蓋全体の板厚を上げて覆蓋部の耐荷重性を向上させることも難しい。このため、この上に重量物が載ったり、台車のキャスターが通過したり、ハイヒールで踏んだりすると、変形して反り返ったり、破断したりすることがある。
本発明は、このような課題を解決するものであり、覆蓋部の耐荷重性を向上させたものである。
【０００５】
【課題を解決するための手段】
以上の課題を解決するため、本発明は、フロアパネルの辺縁に開口して設けられるコンセント取付孔の周辺にフロアパネルの上面よりも低段に形成されるフランジ部に載せ掛けられてコンセント取付孔を塞ぐ塞ぎ蓋に、一端がフランジ部側端部まで延びて他端がフランジ部を外れた中央側所定個所まで延びる二本のスリットを形成し、スリット間を覆蓋部としてこの覆蓋部を下方に折り曲げることでコード挿通孔を現出させるものにおいて、覆蓋部に、覆蓋部の耐荷重性を増す補強構造を施したことを特徴とするフロアパネルにおけるコンセント取付孔の塞ぎ蓋を提供する。
【０００６】
補強構造によって覆蓋部の耐荷重性は高められ、変形や破損が防がれる。而して、この補強構造は、覆蓋部の耐荷重性が増すものであれば、どのような構造のものであってもよいが、例えば、一方のスリットの大部分をフランジ部上に位置させる構成、一方のスリットと他方のスリットとの間隔を、一端側の方を他端側の方よりも広くする構成、フランジ部を外れる覆蓋部の裏面に縦リブを設けた構成、フランジ部を外れる覆蓋部の裏面にビードを突起させる構成、これらの縦リブ及びビードを、スリットの縁に設ける構成といったものが考えられる。
【０００７】
【発明の実施の形態】
以下、本発明の実施の形態を図面を参照して説明する。図１は本発明に係る塞ぎ蓋を含むパネルの一部平面図、図２は図１のＡ−Ａ断面図である。パネル１は、平面視四角形をしているものであり、通常、断面ハット形をした下面板２に上面板３を重ねて辺縁を巻き込んで一体化してある。辺縁の適所（中央が多い）には、辺縁に開口する取付孔４が形成してある。この取付孔４は、方形や半円形をしており、取付孔４の周辺には上面板３の上面よりも低段になったフランジ部５が形成される。このフランジ部５も、下面板２の端部を上面板３で巻き込んでおり、バリやささくれ等の端面の尖りをなくして怪我防止を図っている。
【０００８】
取付孔４は塞ぎ蓋６で塞がれる。塞ぎ蓋６は、上面部７と側面部８とで断面Ｌ字形をしているものであり、側面部８がパネル１の側面と平行になるような配置で、上面部７がフランジ部５の上に載せ掛けられて固定される（このときのフランジ部５の段差は、上面部７とパネル１の上面が面一になるようにしてある）。尚、塞ぎ蓋６の側面部８の下端は内方にハゼ折りしてあり、補強と怪我防止を図っている。
【０００９】
フランジ部５の入口側の辺（パネル１の縁と直角な辺）の適所には、切欠９が対向して形成されており、塞ぎ蓋６の上面部７から切り下げられる係止片１０がその中に嵌め込まれて位置決めされるようになっている。図１６は図１のＪ−Ｊ断面図であるが、係止片１０には、切欠９側に向かって突出するダボ１０ａが形成されており、このダボ１０ａが切欠９内に露出した下面板２の端面に弾性接触して塞ぎ蓋６の確実な位置決めとガタ付きの防止を図っている。
【００１０】
この他、上面部７の入口により近い側の辺には、辺縁に開口する工具挿入孔１１が対向して形成されており、塞ぎ蓋６を外すときには、この工具挿入孔１１にマイナスドライバー等の適当な工具を挿入して持ち上げられるようになっている。更に、上面部７には、下方に突起する適宜の形状のビード１２が形成され、塞ぎ蓋６全体の強度向上が図られている。
【００１１】
塞ぎ蓋６には、挿通孔１３が形成できるようになっているが、本発明に係る挿通孔１３は、一端がフランジ部５側端部に開口して他端がフランジ部５を外れた中央側所定個所まで延びる二本のスリット１４、１５を形成し、スリット１４、１５間を覆蓋部１６としてこの覆蓋部１６を下方に折り曲げることで現出させるようになっている。則ち、スリット１４、１５の中央側端部を結ぶ線を折曲線１７として覆蓋部１６をこの折曲線１７を中心に下方に折り曲げるのである。この場合、折り曲げを容易にするために、折曲線１７上に何個かの孔１８を不連続に形成している。尚、挿通孔１３が必要でなくなったときには、折曲線１７を中心に上方に曲げて覆蓋部１６を元に戻しておけばよい。
【００１２】
本発明は、以上の覆蓋部１６に耐荷重性を増すための補強構造を施すのである。この補強構造は、覆蓋部１６の耐荷重性を増すものであれば、どのようなものでもよいが、具体的には次のようなものが考えられる。図１には第１例が示されているが、本例のものは、一方のスリット１４をパネル１の縁と直角なフランジ側端部からそのフランジ部５を外れた中央側まで切れ込ませるとともに、他方のスリット１５をパネル１の縁と平行なフランジ側端部から直角、則ち、０°の向きで内方に切り込ませ、フランジ部５の上で約６０°に方向変換させ、次いで、９０°に転換して一方のスリット１４と平行にしてフランジ部５の縁上に位置させたものである（フランジ部５の端をスリット１５内に位置させる）。
【００１３】
従って、他方のスリット１５はフランジ部５を完全に外れた位置に設けられていないし、覆蓋部１６はパネル１のフランジ部５のコーナーを含む辺で支持される構成になる。これにより、覆蓋部１６の強度低下が防がれるとともに、覆蓋部１６は実質的に長い辺長で支持される（支持面積が広い）ことになり、耐荷重性が向上する。尚、上記した他方のスリット１５をフランジ部５の縁上に位置させる構成と、覆蓋部１６をコーナーを含む辺で支持する構成は、フランジ部５が方形の場合であり、コーナーが形成されない半円形の場合は、当然ながら、このような構成にはならない。
【００１４】
図３は覆蓋部１６を折曲線１７を中心に下方に折り曲げて挿通孔１３を現出させ、挿通孔１３にコード１９を通した状態を示す塞ぎ蓋６の平面図、図４は図３のＢ−Ｂ断面図、図５は図３のＣ−Ｃ断面図であるが、この場合、覆蓋部１６を下方に折り曲げた場合、そのコーナー側も取付孔４の中に入り込む必要があるから、屈曲する側のスリット１５の９０°部分の長さ（図３及び図５のａ）は、少なくとも、フランジ部５の厚み（図５のｃ）をかわすように設定することが条件となる。
【００１５】
一方、覆蓋部１６を折り曲げた状態で塞ぎ蓋６を外さなければならないこともあるが、それには、工具挿入孔１１に工具を挿入し、上面部７の内方端Ｐ（図５）を支点として側面部８の端側を上方へ持ち上げる。このとき、まず、係止片１０が切欠９から外れる必要があるから、これが可能なように両者の形状や寸法が設定される。次いで、覆蓋部１６がフランジ部５に干渉しないように抜き出せる必要があるから、屈曲する側のスリット１５の０°と９０°の端の間隔（図３及び図５のｂ）を、これが可能なようにある程度長くしておく。
【００１６】
図６は本発明の第２例と第３例を示す塞ぎ蓋６の平面図（左側と右側にそれぞれ第２例と第３例を示してある）、図７は図６のＤ−Ｄ断面図、図８は図６のＥ−Ｅ断面図であるが、第２例のものは、ビード２０の中にスリット１４を形成したものであり、第３例のものは、覆蓋部１６に、下面に突出するビード２０を形成したものである。いずれも、覆蓋部１６の断面係数が上がって耐荷重性に優れたものとなる。この点で、覆蓋部１６におけるビード２０の占有面積が大きいほど、耐荷重性が増す。尚、このビード２０は、覆蓋部１６のどの位置にあってもよいが、スリット１４、１５に近い方が効果が高い。これらの例のものは、スリット１５に斜めの部分が形成されていない。従って、その分、着脱操作が窮屈になるが、支持面積を大きくできる。
【００１７】
図９は本発明の第４例を示す塞ぎ蓋６の平面図、図１０は図９のＦ−Ｆ断面図であるが、本例のものは、覆蓋部１６の裏面に縦リブ２１を設けたものである。こうすると、覆蓋部１６の断面係数が上がって耐荷重性が増す。この場合、縦リブ２１をスリット１５の縁の下方に形成するものとすれば、スリット１５を切り開いて下方に折り曲げることで容易に形成できる。図１１は第４例の覆蓋部１６を下方に折り曲げた状態を示す図９のＧ−Ｇ断面図であるが、挿通孔１３を現出させたとき、縦リブ２１によって挿通孔１３周囲の上面部７の端面の尖りが隠れ、コード１９の傷付きが防がれる。
【００１８】
図１２は本発明の第５例を示す塞ぎ蓋６の平面図、図１３は図１２のＨ−Ｈ断面図であるが、本例の塞ぎ蓋６は、隣接するパネル１の取付孔４同士を合致させたときに、円形となる半円形の取付孔４のものに適合させた例である。これまでの例とは異なり、スリット１４、１５の一端をフランジ部５側端部に開口させることなく、端部近くまで延ばし、外側に切除片１４ａ、１５ａを設けている。即ち、スリット１４、１５を挟む両側に、一端がフランジ部５側端部に開口し、他端がフランジ部５上の中央所定箇所まで延びるスリット１４ｂ、１５ｂを形成し、更に、スリット１４と各スリット１４ｂ間及びスリット１５と各スリット１５ｂ間を結ぶ切断溝１４ｃ、１５ｃをＶノッチにより形成し、これらに囲まれた部分を切除片１４ａ、１５ａとしたものである。
【００１９】
このようにすれば、挿通孔１３を現出させる場合に、切除片１４ａ、１５ａをペンチ等の工具を用いて切断溝１４ｃ、１５ｃで折り取ってやると、スリット１４、１５の一端は、フランジ部５側端部に開口して覆蓋部１６を下方に折り曲げることができるようになるから、挿通孔１３の未現出状態における覆蓋部１６の耐荷重性を大幅に向上させることができる。この場合における切除片１４ａ、１５ａは、何れか一方のスリット１４、１５にだけ設けてもよいが、他端がフランジ部５から大きく外れた中央所定箇所まで延びるスリット１４に設ける方が効率的である。又、切断溝１４ｃ、１５ｃの構造は、スリットや不連続な孔等、切除片１４ａ、１５ａの折り取りを容易にするものであればよい。尚、長い方のスリット１４の両側には、フランジ部５を外れた位置に前記した縦リブ２１を設けて耐荷重性の向上と挿通孔１３現出時におけるその周囲の尖りを防止している。
【００２０】
図１４は本発明の第６例を示す塞ぎ蓋６の平面図、図１５は図１４のＩ−Ｉ断面図であるが、本例のものは、塞ぎ蓋６のパネル１の縁と平行なフランジ部５側端部から二本のスリット１４、１５をパネル１のフランジ部５を外れた中央側まで延出させたものであるが、このとき、スリット１４、１５のフランジ部５側端部間の距離ｄを中央側端部間の距離ｅよりも大きくすることで、覆蓋部１６の形状を先端に向かって徐々に幅広としたものである。これにより、断面係数は高くなるとともに、支持面積が広くなって耐荷重性が向上する。又、フランジ部５を外れた部分のスリット１４、１５の縁の下方に前記の方法によって縦リブ２１を形成している。これにより、覆蓋部１６の断面係数は高くなり、耐荷重性が向上する。本例のものも、挿通孔１３を現出させたとき、縦リブ２１によって挿通孔１３周囲の上面部７の端面の尖りの露出が防がれる。更には、スリット１４、１５のフランジ部５側端部の外側に前記の方法によって切除片１４ａ、１５ａを形成し、挿通孔１３の未現出状態における覆蓋部１６の耐荷重性を大幅に向上させている。
【００２１】
【発明の効果】
以上、本発明によれば、塞ぎ蓋に形成された挿通孔を塞ぐ覆蓋部の耐荷重性を増したものであるから、この上に大きな荷重がかかっても、変形若しくはそれに基づく破損を起し難い。依って、板厚を薄くしてコストダウンが図れるとともに、挿通孔の面積を大きくできる。
【図面の簡単な説明】
【図１】本発明の一例を示す塞ぎ蓋を含むフロアパネルの一部平面図である。
【図２】図１のＡ−Ａ断面図である。
【図３】本発明の一例を示す覆蓋部を折り曲げて挿通孔を具現した状態を示す平面図である。
【図４】図２のＢ−Ｂ断面図である。
【図５】図２のＣ−Ｃ断面図である。
【図６】本発明の第２例と第３例とを示す塞ぎ蓋の平面図である。
【図７】図６のＤ−Ｄ断面図である。
【図８】図６のＥ−Ｅ断面図である。
【図９】本発明の第４例を示す塞ぎ蓋の平面図である。
【図１０】図９のＦ−Ｆ断面図である。
【図１１】図９のＧ−Ｇ断面図である。
【図１２】本発明の第５例を示す塞ぎ蓋の平面図である。
【図１３】図１２のＨ−Ｈ断面図である。
【図１４】本発明の第６例を示す塞ぎ蓋の平面図である。
【図１５】図１４のＩ−Ｉ断面図である。
【図１６】図１のＪ−Ｊ断面図である。
【符号の説明】
１    フロアパネル
４    コンセント取付孔
５    フランジ部
６    塞ぎ蓋
１３  コード挿通孔
１４  スリット
１５  スリット
１６  覆蓋部
２０  ビード
【図１】
0004144718.tif 000002
【図２】
0004144718.tif 000003
【図３】
0004144718.tif 000004
【図４】
0004144718.tif 000005
【図５】
0004144718.tif 000006
【図６】
0004144718.tif 000007
【図７】
0004144718.tif 000008
【図８】
0004144718.tif 000009
【図９】
0004144718.tif 000010
【図１０】
0004144718.tif 000011
【図１１】
0004144718.tif 000012
【図１２】
0004144718.tif 000013
【図１３】
0004144718.tif 000014
【図１４】
0004144718.tif 000015
【図１５】
0004144718.tif 000016
【図１６】
0004144718.tif 000017